(57)【特許請求の範囲】
【請求項１】
遊技球を遊技領域に発射するための発射装置が設置されており、該発射装置の作動を制御可能で、支持部材の先端に前記発射装置による遊技球の発射強度を調節するための調節部材を回動自在に設けてなる操作ハンドルが、前面から突出するように設けられたパチンコ機であって、
発射装置の作動を停止させるための発射停止スイッチが、少なくとも前記支持部材の先端際の周囲の中央上方及び左右両端にそれぞれ設けられている一方、パチンコ機の前面に、任意の発射停止スイッチによる発射装置の作動停止のみを可能とする切替スイッチが設けられていることを特徴とするパチンコ機。
【請求項２】
少なくとも４個以上の発射停止スイッチが設けられており、そのうちの一部が供給皿及び／又は貯留皿に設けられていることを特徴とする請求項１に記載のパチンコ機。
【請求項３】
操作ハンドルに設置された発射停止スイッチのうちのいずれかを、他の発射停止スイッチよりも大きいものとしたことを特徴とする請求項１または２に記載のパチンコ機。
【請求項４】
操作ハンドルに設置された発射停止スイッチのうちのいずれかを、他の発射停止スイッチよりも弱い力でプッシュ操作可能としたことを特徴とする請求項１または２に記載のパチンコ機。
【発明の詳細な説明】
【０００１】
【発明の属する技術分野】
本発明は、パチンコ機に関するものである。
【０００２】
【従来の技術】
通常のパチンコ機は、遊技球を遊技領域に発射するための発射装置が内部に設けられており、前面に突出するように設けられた操作ハンドルを回動操作することによって、発射装置による遊技球の発射強度を調節できるようになっている。また、操作ハンドルの設置部位付近には、発射装置による遊技球の発射を停止させるための発射停止スイッチが設けられており、操作ハンドルの回動操作によって発射装置が遊技球を発射している最中でも、その発射停止スイッチを操作した場合には、発射装置による遊技球の発射を停止させることができるようになっている。
【０００３】
【発明が解決しようとする課題】
しかしながら、上記従来のパチンコ機においては、設計時に平均的な大きさの手による操作ハンドルの操作を想定して発射停止スイッチの設置位置を決めるため、手の大きい遊技者や手の小さい遊技者が、操作ハンドルの設置部位付近に設けられた発射停止スイッチを操作しにくい、という不具合が生じる。殊に、女性が遊技する場合には、その傾向が顕著なものとなる。また、操作ハンドルの回動度合いによって、発射停止スイッチを操作しにくくなる事態が生じてしまう。
【０００４】
本発明の目的は、遊技者の手の大きさに関係なく発射停止スイッチを操作し易いパチンコ機を提供することにある。
【０００５】
【課題を解決するための手段】
かかる本発明の構成のうち、請求項１に記載された発明の構成は、遊技球を遊技領域に発射するための発射装置が設置されており、該発射装置の作動を制御可能で、支持部材の先端に前記発射装置による遊技球の発射強度を調節するための調節部材を回動自在に設けてなる操作ハンドルが、前面から突出するように設けられたパチンコ機であって、発射装置の作動を停止させるための発射停止スイッチが、少なくとも前記支持部材の先端際の周囲の中央上方及び左右両端にそれぞれ設けられている一方、パチンコ機の前面に、任意の発射停止スイッチによる発射装置の作動停止のみを可能とする切替スイッチが設けられていることにある。
請求項２に記載された発明の構成は、請求項１に記載された発明において、少なくとも４個以上の発射停止スイッチが設けられており、そのうちの一部が供給皿及び／又は貯留皿に設けられていることにある。
請求項３に記載された発明の構成は、請求項１または２に記載された発明において、操作ハンドルに設置された発射停止スイッチのうちのいずれかを、他の発射停止スイッチよりも大きいものとしたことしたことにある。
請求項４に記載された発明の構成は、請求項１または２に記載された発明において、操作ハンドルに設置された発射停止スイッチのうちのいずれかを、他の発射停止スイッチよりも弱い力でプッシュ操作可能としたことにある。
【０００６】
【発明の実施の形態】
以下、本発明のパチンコ機の一実施形態を、図面に基づいて詳細に説明する。
【０００７】
図１、図２は、それぞれ、パチンコ機１の正面、背面を示したものである。パチンコ機１は、前面の中央上方に略円形の遊技領域２が設けられており、その遊技領域２には、図柄表示装置３、各種の入賞装置４，４・・が設置されているとともに、多数の遊技釘５，５・・が植設されている。一方、パチンコ機１の背面の下端際には、遊技領域２へ遊技球を発射するための発射装置６が設けられている。また、パチンコ機１の前面の遊技領域２の下側には、発射装置６に供給する遊技球を貯えるための供給皿７と、供給皿７から溢れた遊技球を貯留するための貯留皿８とが上下に連設されており、貯留皿８の右側には、発射装置６を作動させるための操作ハンドル９が設置されている。さらに、操作ハンドル９の下方には、切替スイッチ１０が設置されている。
【０００８】
図３〜５は、操作ハンドル９を示したものであり、操作ハンドル９は、固定キャップ１１、調節部材１２、固定部材１３、支持部材１４等によって組み立て形成されている。支持部材１４は、２つの中空な半円柱状部材を合着させることによって中空円柱状に組み立て形成されており、基端から先端にかけて徐々に大径になっている。そして、先端際に、３つの発射停止スイッチ１６ａ，１６ｂ，１６ｃが、弾性部材（図示せず）によって突出方向に付勢された状態で出没自在に設けられており、基端際に、調節摘み１７が固着されている。また、調節部材１２は、把持爪１８ａ，１８ｂ，１８ｃ，１８ｄを周設した略円盤状の平板部１９に、細長い円柱状の支持軸２０を垂設した形状を有しており、平板部１９の周状溝２１に固定キャップ１１の内側の支持突起２２を嵌入し、固定キャップ１１と固定部材１３とによって、コイルバネ２３により左回転方向（半時計回り方向）に付勢させた状態で支持軸２０を中心として所定角度（約１００度）だけ回動自在に挟着されている。さらに、固定キャップ１１、調節部材１２と一体になった固定部材１３が、支持部材１４の先端に固着されており、支持部材１４のガイド孔２４内に挿入された調節部材１２の支持軸２０の先端が、調節摘み１７と係合した状態になっている。かかる操作ハンドル９は、固定キャップ１１に掌を当てて把持爪１８ａ，１８ｂ，１８ｃ，１８ｄの左側に、それぞれ、親指、人差し指、中指、薬指を位置させると、それらの指の右側が、把持爪１８ａ〜１８ｄに良くフィットするようになっており、その状態（調節部材１２が回動していない状態）で、親指、人差し指、薬指の先端が、それぞれ、発射停止スイッチ１６ａ，１６ｂ，１６ｃの上方に位置するようになっている。
【０００９】
一方、図６は、それぞれ、発射装置６の制御回路の概略図であり、発射装置６のモータ（図２参照）は、調節摘み１７と連動した可変抵抗器２６、切替スイッチ１０、発射停止スイッチ１６ａ，１６ｂ，１６ｃを介して、電源に接続されている（なお、可変抵抗器２６は、増幅回路２８内に設けられている）。そして、切替スイッチ１０をＡ側にした場合には、発射停止スイッチ１６ａによって回路を接続・遮断できるようになっており、切替スイッチ１０をＢ側にした場合には、発射停止スイッチ１６ｂによって回路を接続・遮断できるようになっており、切替スイッチ１０をＣ側にした場合には、発射停止スイッチ１６ｃによって回路を接続・遮断できるようになっている。
【００１０】
上記パチンコ機１は、操作ハンドル９を回動させると、可変抵抗器２６の抵抗値が変化して、発射装置６の発射槌２７（図２参照）による遊技球の発射強度が大きくなる。また、操作ハンドル９の付近に設けられた切替スイッチ１０をＡ側に倒した状態で、発射停止スイッチ１６ａをプッシュ操作した場合には、発射装置６のモータ２５を制御する電気回路が遮断されて、発射槌２７による遊技球の打ち出しが停止する。なお、切替スイッチ１０をＡ側に倒した状態においては、発射停止スイッチ１６ｂ，１６ｃをプッシュ操作しても発射槌２７による遊技球の打ち出しは停止しない。一方、切替スイッチ１０をＢ側に倒した状態で、発射停止スイッチ１６ｂをプッシュ操作した場合には、モータ２５を制御する電気回路が遮断されて、発射槌２７による遊技球の打ち出しが停止する。なお、切替スイッチ１０をＢ側に倒した状態においては、発射停止スイッチ１６ａ，１６ｃをプッシュ操作しても、発射槌２７による遊技球の打ち出しは停止しない。加えて、切替スイッチ１０をＣ側に倒した状態で、発射停止スイッチ１６ｃをプッシュ操作した場合には、モータ２５を制御する電気回路が遮断されて、発射槌２７による遊技球の打ち出しが停止する。なお、切替スイッチ１０をＣ側に倒した状態においては、発射停止スイッチ１６ａ，１６ｂをプッシュ操作しても、発射槌２７による遊技球の打ち出しは停止しない。
【００１１】
パチンコ機１は、上記の如く、発射装置６の作動を停止させるための３個の発射停止スイッチ１６ａ〜１６ｃが設置されているため、任意の発射停止スイッチを選択して、非常に容易に使用することができる。
【００１２】
また、パチンコ機１は、発射装置６の作動を制御するための操作ハンドル９が、前面から突出するように設けられているとともに、その操作ハンドル９に、すべての発射停止スイッチ１６ａ〜１６ｃが設置されているため、操作ハンドル９を操作しながら、その操作ハンドルを操作している手の指のみで、ハンドル操作態勢に適した任意の発射停止スイッチを選択して、非常に容易に使用することができる。
【００１３】
さらに、パチンコ機１は、操作ハンドル９が、支持部材１４の先端に、発射装置６による遊技球の発射強度を調節するための調節部材１２を回動自在に（パチンコ機１の前面と平行な面内で回動自在に）設けたものであるとともに、支持部材１４の先端際の周囲の中央上方、および左右両端に、それぞれ発射停止スイッチ１６ａ〜１６ｃが設けられているため、操作ハンドル９を操作した状態で、親指、人差し指等の動かし易い指により、任意の発射停止スイッチを選択して容易に使用することができる。
【００１４】
加えて、パチンコ機１は、３個の発射停止スイッチ１６ａ〜１６ｃのうちのいずれかによる発射装置６の作動停止のみを可能とする切替スイッチ１０が設けられているため、不必要な場合に誤って発射停止スイッチを操作してしまう事態を防止することができる。
【００１５】
なお、本発明のパチンコ機の構成は、上記した各実施例の態様に何ら限定されるものではなく、操作ハンドル、発射装置等の形状・構造等の構成を、本発明の趣旨を逸脱しない範囲で、必要に応じて適宜変更できる。
【００１６】
たとえば、パチンコ機は、上記実施形態の如く、３個の発射停止スイッチを設けたものに限定されず、２個の発射停止スイッチを設けたものや、４個以上の発射停止スイッチを設けたものでも良い。また、発射停止スイッチを設ける場所も、操作ハンドルの支持部材の先端際に限定されず、場合によっては、調節部材とともに回動するように設けることも可能である。加えて、複数の発射停止スイッチのすべてを操作ハンドルに設けたもの限定されず、２個の発射停止スイッチのうちの１個を操作ハンドルに設置し、他の１個を供給皿や貯留皿に設けたもの等、複数の発射停止スイッチのうちの一部のみを操作ハンドルに設置したものでも良い。かかる構成を採用した場合には、操作ハンドルを操作している手のみならず反対側の手を利用して、ハンドル操作態勢に適した任意の発射停止スイッチを選択して、非常に容易に使用することができる、というメリットがある。さらに、同一形状や同一の大きさの発射停止スイッチを設けたものに限定されず、異なる形状あるいは異なる大きさの発射停止スイッチを設けたものでも良い。そのように所定位置の発射停止スイッチを大きくした場合には、指の爪の長い遊技者等でも容易に発射停止スイッチを操作することができる、というメリットがある。加えて、所定位置の発射停止スイッチを他の発射停止スイッチより弱い力でプッシュ操作できるように構成した場合には、力の弱い女性等でも容易に発射停止スイッチを操作することができる、というメリットがある。一方、切替スイッチの設置位置も、上記実施形態の如き操作ハンドルの設置部位付近に何ら限定されない。
【００１７】
【発明の効果】
請求項１に記載されたパチンコ機によれば、発射装置の作動を停止させるための発射停止スイッチが、パチンコ機の前面から突出するように設けられた操作ハンドルの支持部材の先端際の中央上方及び左右両端にそれぞれ設置されている。したがって、操作ハンドルを操作しながら、その操作ハンドルを操作している手のみで、ハンドル操作態勢に適した任意の発射停止スイッチを選択して容易に使用することができる。
また、パチンコ機の前面に任意の発射停止スイッチによる発射装置の作動停止のみを可能とする切替スイッチが設けられているため、不必要な場合に誤って発射停止スイッチを操作してしまう事態を防止することができる。
【００１９】
請求項２に記載されたパチンコ機によれば、少なくとも４個以上の発射停止スイッチが設けられており、そのうちの一部が供給皿及び／又は貯留皿に設けられているため、操作ハンドルを操作している手のみならず反対側の手を利用して、ハンドル操作態勢に適した任意の発射停止スイッチを選択して非常に容易に使用することができる。
【００２０】
請求項３に記載されたパチンコ機によれば、操作ハンドルに設置された発射停止スイッチのうちのいずれかを、他の発射停止スイッチよりも大きいものとしているため、指の爪の長い遊技者等でも容易に発射停止スイッチを操作することができる。
【００２１】
請求項４に記載されたパチンコ機によれば、操作ハンドルに設置された発射停止スイッチのうちのいずれかを、他の発射停止スイッチよりも弱い力でプッシュ操作可能としたため、力の弱い女性等でも容易に発射停止スイッチを操作することができる。
【図面の簡単な説明】
【図１】パチンコ機の正面を示す斜視図である。
【図２】パチンコ機の背面図である。
【図３】操作ハンドルの斜視図である。
【図４】操作ハンドルの平面図である。
【図５】操作ハンドルを分解した状態を示す説明図である。
【図６】発射停止スイッチの制御回路を示す説明図である。
【符号の説明】
１・・パチンコ機、２・・遊技領域、３・・図柄表示装置、４・・入賞装置、５・・障害釘、６・・発射装置、７・・供給皿、８・・貯留皿、９・・操作ハンドル、１０・・切替スイッチ、１１・・固定キャップ、１２・・調節部材、１３・・固定部材、１４・・支持部材、１６ａ〜１６ｃ・・発射停止スイッチ、１７・・調節摘み、１８ａ〜１８ｄ・・把持爪、１９・・平板部、２０・・支持軸、２１・・周状溝、２２・・支持突起、２３・・コイルバネ、２４・・ガイド孔、２５・・モータ、２６・・可変抵抗器、２７・・発射槌、２８・・増幅回路。
【図１】
0003800946.tif 000002
【図２】
0003800946.tif 000003
【図３】
0003800946.tif 000004
【図４】
0003800946.tif 000005
【図５】
0003800946.tif 000006
【図６】
0003800946.tif 000007